(57)【要約】【課題】既存防水層上に屋上緑化装置等その他各種の構築物等を、必要に応じた所望の位置で簡単容易に連結固定でき、防水性能毀損の恐れがなく、しかも既存防水層上にさらに新規な防水層を重畳する手法による防水層補修工事を容易にする。【解決手段】下地と、この表面に形成される防水層と、この防水層上に設けられる支持装置と、前記支持装置を防水層上に固定する接合手段とからなり、前記支持装置は、一対の支持部とこれらの間に架設されるメインバーとを有し、前記支持部は基板とこの基板とメインバーとの間に介装される排水手段とを具えるとともにメインバーと防水層との間には排水空間が形成されてなる屋上、陸屋根等における支持固定構造を実現して、上記の課題を解決する。【選択図】  図４
0003122950.tif 000002
【実用新案登録請求の範囲】
【請求項１】
下地と、この表面に形成される防水層と、この防水層上に設けられる支持装置と、前記支持装置を防水層上に固定する接合手段とからなり、前記支持装置は、一対の支持部とこれらの間に架設されるメインバーとを有し、前記支持部は基板とこの基板とメインバーとの間に介装される排水手段とを具えるとともにメインバーと防水層との間には排水空間が形成されることを特徴とする屋上、陸屋根等における支持固定構造。
【請求項２】
請求項１記載の屋上、陸屋根等における支持固定構造において、前記排水手段は、相対向する一対の側壁と側壁間を結び前記メインバーが載置固定される上板とからなることを特徴とする屋上、陸屋根等における支持固定構造。
【請求項３】
請求項２記載の屋上、陸屋根等における支持固定構造において、前記メインバーにはロープ、ワイヤー、ボルトその他の係止具を係合固定するための孔部を複数設けるとともに、前記排水空間は防水層上において前記支持部間に形成したことを特徴とする屋上、陸屋根等における支持固定構造。
【請求項４】
請求項３記載の屋上、陸屋根等における支持固定構造において、前記メインバーには前記孔部を介して支柱等固定装置を連結固定してなり、前記支柱等固定装置は、支柱端受け部とこの支柱端受け部に立設され支柱端部を嵌合する支持筒を具え、前記支持筒には支柱を固定するための釘、ビス類の打ち込み用穴を形成するとともに、支持筒下端には水抜きを設けたことを特徴とする屋上、陸屋根等における支持固定構造。
【請求項５】
請求項３記載の屋上、陸屋根等における支持固定構造において、前記メインバーには前記孔部を介して汎用固定装置を連結固定してなり、この汎用固定装置は、受け部とこの受け部に立設される1以上の壁体を具え、壁体にはロープ、針金その他を係止するための複数の係合手段を形成したことを特徴とする屋上、陸屋根等における支持固定構造。  
【請求項６】
請求項５記載の屋上、陸屋根等における支持固定構造において、前記汎用固定装置の前記壁体は前記受け部上に一体に立設される板状体で構成し、この板状体に形成される複数の孔部で前記係合手段を構成したことを特徴とする防水層上における支持固定構造。
【請求項７】
屋上、陸屋根等における防水層上に接着手段により固定設置される支持装置であって、一対の支持部とこれらの間に架設されるメインバーとを有し、前記支持部は基板とこの基板とメインバーとの間に介装される排水手段とを具えるとともに防水層上への設置によりメインバーと防水層との間には排水空間が形成されるようにしたことを特徴とする屋上、陸屋根等における支持装置。
【請求項８】
請求項７記載の屋上、陸屋根等における支持装置において、前記排水手段は、相対向する一対の側壁と側壁間を結び前記メインバーが載置固定される上板とからなることを特徴とする屋上、陸屋根等における支持装置。
【請求項９】
請求項８記載の屋上、陸屋根等における支持装置において、前記メインバーにはロープ、ワイヤー、ボルトその他の係止具を係合固定するための孔部を複数設けるとともに、前記排水空間は防水層上において前記支持部間に形成されるようにしたことを特徴とする屋上、陸屋根等における支持装置。
【考案の詳細な説明】
【技術分野】
【０００１】
本願考案は、屋上、陸屋根等の既存防水層上に樹木、手摺その他各種の構築物の設置に際してそれらを固定する技術に関し、詳しくは防水層を損なうことなく本来の防水性を維持し種々の構築物その他を強固に固定できる新規な固定技術に関するものである。
【背景技術】
【０００２】
建築物の屋上、陸屋根、バルコニー等に敷設した既存の防水層上に、屋上緑化装置等を敷設してヒートアイランド現象を抑制し、併せて景観の向上に資する試みがなされている。
屋上緑化装置では、樹木等比較的高さのある植物を植え付ける場合、土壌部分が浅いこと、高所では常に風が吹いている等の事情から、根が定着するまでこれを安定的に支える
必要があり、一般に支柱を設置することになる。  また、支柱の設置は、屋上緑化装置以外にも種々必要となる。
【０００３】
このような支柱の一端は樹木に締結固定され、他端は既存の防水層上に固定することになる。  しかしながら、防水層上に支柱端を固定する支点、拠点等を後付けすることは既存防水層になんらか手を加えることになるから防水性になんらかの影響を及ぼす恐れなくこれをなすことは難しい。
【０００４】
このため、従来はこのような前記支点あるいは拠点としての架台と呼ばれるものを防水層の施工前に下地に連結固定したうえで防水層の形成をなすようにして、防水層に手を加えることを回避し防水信頼性を確保するようにしている。
【０００５】
すなわち、防水層の施工後に架台を設置しようとすれば、防水層を通して下地コンクリート等にアンカーボルトを打ち込みこれによって架台を固定しなければならない。ところが、既存防水層を通して下地にアンカーボルト等を打ち込むことは、事実上は非常に困難である。その理由は、従来から既存の防水層にいかなる形態でも孔を穿つことは防水信頼性を損なう惧れから禁忌事項とされているからである。したがって、従来は防水層上に前記架台が必要とされる場合は、防水層の形成前に下地上に設置固定しこれらを含めて防水層を被装する方法がとられている。  このため設置場所の自由性がなく、必要な場所に設置することができなかった。また、このような架台を設置は、既存防水層の上にさらに防水層を張設する手法による防水層補修工事を施工することを難しくしている。
【０００６】
なお、本願考案に関連する一般的技術として次の文献が開示されている。
【特許文献１】特開２００１−０６５０７９号公報
【考案の開示】
【考案が解決しようとする課題】
【０００７】
本願考案が解決しようとする課題は次の通りである。
（１）既存防水層上に屋上緑化装置等に植え付けた樹木などの支柱端部やその他各種のものを、必要に応じた所望の位置で簡単容易に連結固定でき、しかも防水性能毀損の恐れが生じないこと。
（２）既存防水層上にさらに新規な防水層を重畳する手法による防水層補修工事を容易にすること。
【課題を解決するための手段】
【０００８】
本願考案は、下地と、この表面に形成される防水層と、この防水層上に設けられる支持装置と、前記支持装置を防水層上に固定する接合手段とからなり、前記支持装置は、一対の支持部とこれらの間に架設されるメインバーとを有し、前記支持部は基板とこの基板とメインバーとの間に介装される排水手段とを具えるとともにメインバーと防水層との間には排水空間が形成されてなる屋上、陸屋根等における支持固定構造を提供して、上記従来の課題を解決しようとするものである。
【０００９】
また、上記の屋上、陸屋根等における支持固定構造において、前記排水手段は、相対向する一対の側壁と側壁間を結び前記メインバーが載置固定される上板とから構成することがある。
【００１０】
さらに、上記の屋上、陸屋根等における支持固定構造において、前記メインバーにはロープ、ワイヤー、ボルトその他の係止具を係合固定するための孔部を複数設けるとともに、前記排水空間は防水層上において前記支持部間に形成する構成となすことがある。
【００１１】
さらにまた、上記の屋上、陸屋根等における支持固定構造において、前記メインバーには前記孔部を介して支柱等固定装置を連結固定してなり、前記支柱等固定装置は、支柱端受け部とこの支柱端受け部に立設され支柱端部を嵌合する支持筒を具え、前記支持筒には支柱を固定するための釘、ビス類の打ち込み用穴を形成するとともに、支持筒下端には水抜きを設けることがある。
【００１２】
また、上記の屋上、陸屋根等における支持固定構造において、前記メインバーには前記孔部を介して汎用固定装置を連結固定してなり、この汎用固定装置は、受け部とこの受け部に立設される1以上の壁体を具え、壁体にはロープ、針金その他を係止するための複数の係合手段を形成する構成となすことがある。
【００１３】
さらに、上記の屋上、陸屋根等における支持固定構造において、前記汎用固定装置の前記壁体は前記受け部上に一体に立設される板状体で構成し、この板状体に形成される複数の孔部で前記係合手段を構成することがある。
【００１４】
本願考案はまた、屋上、陸屋根等における防水層上に接着手段により固定設置される支持装置であって、一対の支持部とこれらの間に架設されるメインバーとを有し、前記支持部は基板とこの基板とメインバーとの間に介装される排水手段とを具えるとともに防水層上への設置によりメインバーと防水層との間には排水空間が形成されるようにした屋上、陸屋根等における支持装置を提供する。
【００１５】
また、上記の屋上、陸屋根等における支持装置において、前記排水手段は、相対向する一対の側壁と側壁間を結び前記メインバーが載置固定される上板とから構成することがある。
【００１６】
さらに、上記の屋上、陸屋根等における支持装置において、前記メインバーにはロープ、ワイヤー、ボルトその他の係止具を係合固定するための孔部を複数設けるとともに、前記排水空間は防水層上において前記支持部間に形成されるように構成することがある。
【考案を実施するための最良の形態】
【００１７】
一対の支持部とこれらの間に架設されるメインバーとを有する支持装置において、メインバーは断面Ｌ字形状の亜鉛メッキ鉄材で構成し、このメインバーの両端には排水手段を介して基板が連結されこの基板の裏面の両面接着テープによりメインバーは防水層上に固着される。基板部分を除くメインバーと防水層との間には前記排水手段と基板との高さ分の間隙が形成され、これによりメインバーと防水層との間には排水空間が形成されることになる。
そして、前記排水手段は、相対向する一対の側壁とこれら側壁間を結び前記メインバーが載置固定される上板とからなる断面П状亜鉛メッキ鉄材で形成する。なお、基板も亜鉛メッキ鉄材で形成される。
【００１８】
そして、前記メインバーにはロープ、ワイヤー、ボルトその他の係止具を係合固定するための孔部を複数設けるとともに、前記のように排水空間が防水層上において前記支持部間に形成される。
【００１９】
メインバーには前記孔部を介して種々のものを連結固定できるが、この孔部に特別の冶具を取り付けてこれを介して種々のものを連結固定してもよい。特別の冶具としては、例えば、支柱等固定装置があり、これは、支柱端受け部とこの支柱端受け部に立設され支柱端部を嵌合する支持筒を具え、前記支持筒には支柱を固定するための釘、ビス類の打ち込み用穴を形成するとともに、支持筒下端には水抜きを設けて構成される。
【００２０】
さらに、メインバーには前記孔部を介して広く種々のものを連結固定できる汎用固定装置を取り付けて使用することもできる。  この汎用固定装置は、受け部とこの受け部に立設される１以上の壁体を具え、壁体にはロープ、針金その他を係止するための複数の係合手段を具えて構成される。形成したことを特徴とする屋上、陸屋根等における支持固定構造。  そして、前記壁体は前記受け部上に一体に立設される板状体で構成し、この板状体に形成される複数の孔部で前記係合手段を構成するようにする。
【実施例】
【００２１】
図面に基づいて本願考案の１実施例を説明する。  図１は、本願考案に係る支持固定構造の一実施例を示す平面図、図２は図１におけるＡ−Ａ線断面図、図３は正面図、図４は一部切欠斜視図である。
前記各図において、Ｄは支持装置であり、この支持装置Ｄはコンクリート下地１上に敷設された防水層２上に設置されており、一対の支持部１１，１１とこれらの間に架設されるメインバー１２とからなっている。前記支持部１１は、図２に示すように基板１３とこの基板１３と断面Ｌ字形状をなす金属材のメインバー１２との間に介装される排水手段１４とから構成されている。  この排水手段１４は、図示のように相対向する一対の側壁と側壁間を結び前記メインバー１２が載置固定される上板とからなる断面П状の亜鉛メッキ鉄材で形成されている。  また、図３に示すように、メインバー１２と防水層２との間には排水空間としての排水路１５が形成されている
そして、前記メインバー１２にはロープ、ワイヤー、ボルトその他の係止具を係合固定するための孔部１２ａが複数設けられていて、各種の構築物その他の支持固定を容易にしている。
【００２２】
また、図３に示すように、メインバー１２には前記孔部１２ａを介して針金、ビスその他により支柱等固定装置Ｅや、汎用固定装置Ｆが連結固定されている。  前記支柱等固定装置Ｅは、図５に示すように、支柱端受け部４とこの支柱端受け部４に立設され支柱端部を嵌合する支持筒５を具え、この支持筒５には支柱を固定するための釘、ビス類の打ち込み用穴６が形成され、支持筒下端には水抜き７が設けられている。  なお、３は両面接着テープである。この実施例において、支柱等固定装置Ｅを構成する支柱端受け部４と支持筒５とはそれぞれ亜鉛メッキ鉄板により形成され、両者は溶接固定されている。
【００２３】
さらに、前記汎用固定装置Ｆは、図６に示すように、受け部２４とこの受け部２４に立設される壁体２５を具え、壁体２５にはロープ、針金その他を係止するための複数の係合手段としての孔部２６が形成されている。
【００２４】
図７は、上記の汎用固定装置Ｆにおける、支柱端の固定例を示す斜視図である。例えば、植培装置における樹木（いずれも不図示）に設けられた支柱Ｓはその下端部が支柱端受け部２４に支持され、支柱Ｓの側部は壁体５面に当接されている。  この状態で、支柱Ｓの前記当接部分は係合手段としての孔部２６を利用して緊縛・固定されている。  すなわち、支柱Ｓの当接部分には孔部２６、２６，２６を介して針金２７が巻回されて強固に固定されている。
【００２５】
本願に係る支持固定装置Ｄ、支柱等固定装置Ｅ，汎用固定装置Ｆにおいて、固定に接着工法を採用する場合には、既存防水層上の任意の位置に自由に設置できるので屋上等における構築物の配置設定の自由度が大幅に向上し屋上の有効利用が促進される。
さらに、上記の場合、既存防水層の上にさらに新規な防水層を重設する手法による改修工事にも効果を有する。  すなわち、既存防水層上に新たに補修防水層を全面的に張設する場合、接着テープを防水層面から剥離するという簡単な工法で装置を取り外したうえで、新規防水層を張設できる。  そして、この新たな既存防水層上にふたたび支柱等固定装置を簡単にしかも高い防水信頼性の下に形成することができる。また、排水手段、排水空間を具備しているので、屋上緑化装置の下部構造として防水層上に使用する場合、植栽に最も大切な排水作用が良好に確保でき、植物の生育や屋上の防水性の保持に好適である。
【図面の簡単な説明】
【００２６】
【図１】本願考案に係る支持固定構造の一実施例を示す平面図である。
【図２】図１におけるＡ−Ａ線断面図である。
【図３】図１に示す支持固定構造の正面図である。
【図４】図２に示す支持固定構造の一部切欠斜視図である。
【図５】支柱等固定装置Ｅの斜視図である。
【図６】汎用固定装置Ｆの斜視図である。
【図７】汎用固定装置Ｆにおける、支柱端の固定例を示す斜視図である。
【符号の説明】
【００２７】
Ｄ．．．．．．．．．．．．．．支持固定構造
Ｅ．．．．．．．．．．．．．．支柱等固定装置
Ｆ．．．．．．．．．．．．．．汎用固定装置
Ｓ．．．．．．．．．．．．．．支柱
１．．．．．．．．．．．．．．コンクリート下地
２．．．．．．．．．．．．．．防水層  
３．．．．．．．．．．．．．．固定手段（両面接着テープ）
４．．．．．．．．．．．．．  支柱端受け部
５．．．．．．．．．．．．．．支持筒（板状体）
６．．．．．．．．．．．．．．打ち込み用穴
７．．．．．．．．．．．．．．水抜き
１２．．．．．．．．．．．．．メインバー
１３．．．．．．．．．．．．．基板
１４．．．．．．．．．．．．．排水手段
１５．．．．．．．．．．．．排水空間（排水路）
【図１】
0003122950.tif 000003
【図２】
0003122950.tif 000004
【図３】
0003122950.tif 000005
【図４】
0003122950.tif 000006
【図５】
0003122950.tif 000007
【図６】
0003122950.tif 000008
【図７】
0003122950.tif 000009